(57)【要約】【課題】容易なキー操作で文字を入力することができる文字変換システム、サーバ装置および文字変換方法を提供する。【解決手段】携帯端末１０は、第１の文字および第２の文字が割り当てられたキーを複数有する操作部と、操作部によって入力された複数の第１の文字のデータを前記サーバ装置に送信する送信部と、を有する。サーバ装置２０は、携帯端末の送信部が送信した前記複数の第１の文字のデータを受信する受信部と、受信部が受信した複数の第１の文字の内、第１の文字から第２の文字に変換可能な変換可能文字を検出する検出部と、検出部が検出した変換可能文字を第１の文字から第２の文字に一括して変換する文字変換部とを有する。【選択図】図１
2010128671.tif 000002
【特許請求の範囲】
【請求項１】
文字入力が可能な携帯端末と、
前記携帯端末と通信可能なサーバ装置と
を有し、
前記携帯端末は、
第１の文字が割り当てられたキーを複数有し、前記複数のキーの内、少なくとも１つのキーには前記第１の文字に対応した第２の文字が割り当てられている操作部と、
前記操作部によって入力された前記複数の第１の文字のデータを前記サーバ装置に送信する送信部と、
を有し、
前記サーバ装置は、
前記携帯端末の前記送信部が送信した前記複数の第１の文字のデータを受信する受信部と、
前記受信部が受信した前記複数の第１の文字の内、前記第１の文字から前記第２の文字に変換可能な変換可能文字を検出する検出部と、
前記検出部が検出した前記変換可能文字を前記第１の文字から前記第２の文字に一括して変換する文字変換部と
を有する文字変換システム。
【請求項２】
前記携帯端末は、
前記操作部によって入力された文字を表示する表示部と、
前記操作部によって入力された前記変換可能文字に対して、前記第１の文字から前記第２の文字に変換する文字変換を実行すべきか否かという選択を促す選択肢を前記表示部に表示させ、前記選択が前記文字変換を実行する旨の選択であった場合には、当該文字変換の実行を許可する許可信号を前記送信部に送信させる制御部と、
を有し、
前記文字変換部は、
前記制御部による前記許可信号に応答して、前記文字変換を実行する
請求項１記載の文字変換システム。
【請求項３】
前記制御部は、
前記操作部によって入力された前記複数の第１の文字の内、前記文字変換を実行すべき文字変換範囲の指定を促し、
前記検出部は、
前記受信部が受信した前記複数の第１の文字の内、指定された文字変換範囲において、前記変換可能文字を変換し、
前記文字変換部は、
前記指定された文字変換範囲の前記変換可能文字に対してのみ、前記文字変換を実行する
請求項２記載の文字変換システム。
【請求項４】
前記携帯端末は、
年齢に関する情報を含む個人情報を記憶する記憶部と、
前記記憶部の前記個人情報を参照し、前記年齢が規定値以下であるか否かを判別する判別部と
を有し、
前記制御部は、
前記判別部によって前記年齢が規定値以下であるものと判別された場合には、前記文字変換の実行を許可する許可信号を前記送信部に送信させ、
前記文字変換部は、
前記制御部による前記許可信号に応答して、前記文字変換を実行する
請求項２または３に記載の文字変換システム。
【請求項５】
文字入力が可能な携帯端末が送信した複数の第１の文字のデータを受信する受信部と、
前記受信部が受信した複数の第１の文字の内、前記第１の文字から第２の文字に変換可能な変換可能文字を検出する検出部と、
前記検出部が検出した前記変換可能文字を前記第１の文字から前記第２の文字に一括して変換する文字変換部と
を有するサーバ装置。
【請求項６】
携帯端末にて複数の第１の文字を入力するステップと、
入力された前記複数の第１の文字のデータをサーバ装置に送信するステップと、
受信した前記複数の第１の文字の内、前記第１の文字から第２の文字に変換可能な変換可能文字を検出するステップと、
検出した前記変換可能文字を前記第１の文字から前記第２の文字に一括して変換するステップと、
を有する文字変換方法。
【発明の詳細な説明】
【技術分野】
【０００１】
本発明は、例えば、携帯電話機等の携帯端末を用いて入力した文字が、サーバ装置にて自動的に文字変換される文字変換システム、サーバ装置および文字変換方法に関するものである。
【背景技術】
【０００２】
携帯電話機等の携帯端末では、１つのキーに「あ」、「い」、「う」、「え」、「お」、「ぁ」、「ぃ」、「ぅ」、「ぇ」、「ぉ」、など、複数の文字が割り当てられている。例えば、このキーを用いて「う」を入力する場合には、キーを３回押下する必要がある。小文字の「ぅ」を入力する場合には、キーを８回押下する必要がある。
【０００３】
このような不便さを解消する技術が特許文献１に開示されている。これによれば、「ぅ」のような小文字を入力する場合には、「あ」が割り当てられたキーと特殊キーとを押下すればよい。
【特許文献１】特開２００８−１０８２２８号公報
【発明の開示】
【発明が解決しようとする課題】
【０００４】
しかしながら、特許文献１が開示する技術では、１文字を入力する毎に特殊キーを押下する必要がある上、「あ」のような大文字（第１の文字の一例）と「ぁ」のような小文字（第２の文字の一例）とでキーの操作方法が異なるという不利益がある。
【０００５】
本発明は、容易なキー操作で文字を入力することができる文字変換システム、サーバ装置および文字変換方法を提供することにある。
【課題を解決するための手段】
【０００６】
本発明の文字変換システムは、文字入力が可能な携帯端末と、前記携帯端末と通信可能なサーバ装置とを有し、前記携帯端末は、第１の文字が割り当てられたキーを複数有し、前記複数のキーの内、少なくとも１つのキーには前記第１の文字に対応した第２の文字が割り当てられている操作部と、前記操作部によって入力された前記複数の第１の文字のデータを前記サーバ装置に送信する送信部と、を有し、前記サーバ装置は、前記携帯端末の前記送信部が送信した前記複数の第１の文字のデータを受信する受信部と、前記受信部が受信した前記複数の第１の文字の内、前記第１の文字から前記第２の文字に変換可能な変換可能文字を検出する検出部と、前記検出部が検出した前記変換可能文字を前記第１の文字から前記第２の文字に一括して変換する文字変換部とを有する。
【０００７】
好適には、前記携帯端末は、前記操作部によって入力された文字を表示する表示部と、前記操作部によって入力された前記変換可能文字に対して、前記第１の文字から前記第２の文字に変換する文字変換を実行すべきか否かという選択を促す選択肢を前記表示部に表示させ、前記選択が前記文字変換を実行する旨の選択であった場合には、当該文字変換の実行を許可する許可信号を前記送信部に送信させる制御部と、を有し、前記文字変換部は、前記制御部による前記許可信号に応答して、前記文字変換を実行する。
【０００８】
好適には、前記制御部は、前記操作部によって入力された前記複数の第１の文字の内、前記文字変換を実行すべき文字変換範囲の指定を促し、前記検出部は、前記受信部が受信した前記複数の第１の文字の内、指定された文字変換範囲において、前記変換可能文字を変換し、前記文字変換部は、前記指定された文字変換範囲の前記変換可能文字に対してのみ、前記文字変換を実行する。
【０００９】
好適には、前記携帯端末は、年齢に関する情報を含む個人情報を記憶する記憶部と、前記記憶部の前記個人情報を参照し、前記年齢が規定値以下であるか否かを判別する判別部とを有し、前記制御部は、前記判別部によって前記年齢が規定値以下であるものと判別された場合には、前記文字変換の実行を許可する許可信号を前記送信部に送信させ、前記文字変換部は、前記制御部による前記許可信号に応答して、前記文字変換を実行する。
【００１０】
本発明のサーバ装置は、文字入力が可能な携帯端末が送信した複数の第１の文字のデータを受信する受信部と、前記受信部が受信した複数の第１の文字の内、前記第１の文字から第２の文字に変換可能な変換可能文字を検出する検出部と、前記検出部が検出した前記変換可能文字を前記第１の文字から前記第２の文字に一括して変換する文字変換部とを有する。
【００１１】
本発明の文字変換方法は、携帯端末にて複数の第１の文字を入力するステップと、入力された前記複数の第１の文字のデータをサーバ装置に送信するステップと、受信した前記複数の第１の文字の内、前記第１の文字から第２の文字に変換可能な変換可能文字を検出するステップと、検出した前記変換可能文字を前記第１の文字から前記第２の文字に一括して変換するステップと、を有する。
【発明の効果】
【００１２】
本発明によれば、容易なキー操作で文字を入力することができる。
【発明を実施するための最良の形態】
【００１３】
以下、本発明の実施形態を図面に関連付けて説明する。
【００１４】
〈第１実施形態〉
［文字変換システム１の構成例］
図１は、本発明の第１実施形態に係る文字変換システムの構成例を示す概略構成図である。
【００１５】
図１に図示する文字変換システム１は、携帯端末１０、サーバ装置２０、基地局３０および通信網４０を有する。
【００１６】
携帯端末１０は、例えば、文字入力が可能で、入力文字や画像等を表示することができる携帯電話機である。携帯端末１０は、例えば、ＰＨＳ（Personal Handy phone System）であってもよい。携帯端末１０は、例えば、音声通話、電子メールの作成とその送受信、ＷＥＢ（World Wide Web）サイトの閲覧を行う機能を有する。このとき、携帯端末１０は、基地局３０と通信を行い、通信網４０を介してサーバ装置２０に接続する。
【００１７】
サーバ装置２０は、入力した大文字を小文字に自動的に変換可能な文字変換機能を有する。この文字変換機能により、例えば、携帯端末１０によるＷＥＢサイトへの書き込み時に、「あけましておめでとうございます」という大文字の文字列を入力するだけで、サーバ装置２０は、この文字列を「ぁけましてぉめでとぅござぃます」という大文字と小文字が混合した文字列に自動的に変換することができる。
【００１８】
この文字変換機能では、例えば「あ」のような、大文字と小文字とが存在する文字に対してのみ文字変換が行われる。１文字毎に文字変換（単変換）を行うことも可能であるが、この文字変換機能は、複数の大文字のみで構成された文字列を一括して、上述した文字列に変換することを特徴とする。
【００１９】
なお、「大文字（第１の文字）」とは、平仮名の「あ」、片仮名の「ア」のような文字を指す。「小文字（第２の文字）」とは、平仮名の「ぁ」、片仮名の「ァ」のような文字（捨て仮名）を指す。
説明の便宜上、例えば、平仮名の「あ」のように、大文字から小文字に変換可能な文字を「変換可能文字」という。前述の「ぁけましてぉめでとぅござぃます」のように、大文字と小文字が混合した文字列を単に「混合文字列」ともいう。
【００２０】
サーバ装置２０は、アプリケーションサーバとしての機能を有し、文字変換機能を実現するための文字変換処理を行う。このとき、サーバ装置２０は、通信網４０に接続されており、携帯端末１０から文字変換処理対象としてのデータを受信する。そして、サーバ装置２０は、文字変換処理によって大文字のみで構成された文字列を混合文字列に変換し、これをアプリケーション（ＷＥＢサイト等）に反映させる。
【００２１】
基地局３０は、通信網４０に接続されている。基地局３０は、セル内の携帯端末１０と通信し、サーバ装置２０とのデータの中継を行う。
【００２２】
通信網４０は、携帯端末１０、サーバ装置２０および基地局３０に接続されている。通信網４０は、音声データおよびパケットデータが扱えるネットワークである。
【００２３】
［携帯端末１０の構成例］
携帯端末１０の構成例を図２に関連付けて説明する。
図２は、本発明の第１実施形態に係る携帯端末の主要部の構成例を示す概略ブロック図である。
【００２４】
図２に図示するように、携帯端末１０は、アンテナ１１、通信部１２、制御部１３、記憶部１４、音声入出力部１５、スピーカ（ＳＰ）１５１、マイクロフォン（ＭＩＣ）１５２、表示部１６および操作部１７を有する。
なお、通信部１２は、本発明の携帯端末の送信部に対応する。
【００２５】
アンテナ１１は、例えば、内蔵型アンテナである。アンテナ１１は、例えば、ロッドアンテナであってもよい。アンテナ１１は、所定の周波数帯域における電磁波を基地局３０に向けて送信、あるいはこれを基地局３０から受信する。
【００２６】
通信部１２は、制御部１３が出力した送信信号を所定の変調方式に変調し、変調した送信信号を電波信号としてアンテナ１１を介して基地局３０に送信する。この送信信号には、文字変換処理対象のデータが含まれる。
通信部１２は、アンテナ１１を介して基地局３０から受信した電波信号を変調方式に対応した復調を行い、復調した信号を受信信号として制御部１３に出力する。この受信信号には、サーバ装置２０によって文字変換処理が施されたデータが含まれる。
【００２７】
制御部１３は、たとえばマイクロコンピュータ（ＣＰＵ）、ＤＳＰ等で構成されている。制御部１３は、ユーザによる操作部１７の操作に応じて、各種処理が適切な手順で実行されるように、携帯端末１０の全般の動作を制御する。
【００２８】
制御部１３が行う処理には、文字変換機能を実行するための処理、電子メールやＷＥＢの閲覧を行うためのアプリケーションの処理等が含まれる。
制御部１３が行う制御には、たとえば、通信部１２の通信制御、制御部１３と記憶部１４とのアクセス、入力文字、文字変換されたデータ、画像等を表示部１６に表示させるための制御、音声入出力部１５における音声処理の制御が含まれる。
【００２９】
記憶部１４は、たとえば不揮発性の記憶デバイス（フラッシュメモリ）やランダムアクセス可能な記憶デバイス（ＳＲＡＭ、ＤＲＡＭ）等で構成されている。
記憶部１４には、文字変換機能を実行するためのアプリケーションプログラム、オペレーティングシステム等が格納されている。この他、記憶部１４には、制御部１３の出力結果、プログラムの処理過程で利用される一時的なデータ等が格納される。
【００３０】
音声入出力部１５は、制御部１３から供給されたデジタルの音声データをスピーカ１５１を介して出力するため、デジタルの音声データに対して、デジタル・アナログ（Ｄ／Ａ）変換、増幅等の信号処理を施す。
音声入出力部１５は、マイクロフォン１５２から入力されたアナログの音声信号をデジタルの音声データに変換して制御部１３に出力するため、アナログの音声信号に対して、増幅、アナログ・デジタル（Ａ／Ｄ）変換、符号化等の処理を施す。
【００３１】
表示部１６は、たとえば液晶表示パネルや有機ＥＬ（Electro-Luminescence）パネル等の表示デバイスで構成されている。表示部１６は、制御部１３から供給された映像信号に応じた種々の情報を表示する。
【００３２】
操作部１７は、たとえば文字確定キー、通話キー、テンキー、方向キー、決定キー、発信キーなど各種機能が割り当てられた複数のキーを有する。操作部１７は、これらのキーがユーザによって操作された場合、その操作内容に対応する信号を発生し、これをユーザの指示として制御部１３に出力する。
【００３３】
［携帯端末１０の外観］
携帯端末１０の各構成要素は、図３に図示する第１筐体および第２筐体の所定の場所に格納されている。
図３は、本発明の第１実施形態に係る携帯端末の外観の一例を示す斜視図である。
【００３４】
図３に図示する携帯端末１０は、第１筐体１０１および第２筐体１０２がヒンジ部１０３によって連結され、両筐体をヒンジ部１０３にて開閉することができる折りたたみ型（フォルダ型ともいう）の携帯電話機である。図３には、両筐体が開いた開状態の様子が図示されている。
【００３５】
第１筐体１０１の面１０１Ｆには、表示部１６と、その上部にスピーカ１５１とが配置されている。なお、この面１０１Ｆは、携帯端末１０の閉状態（不図示）にて、第２筐体１０２の操作部１７と対向する面である。
第２筐体１０２の面１０２Ｆには、操作部１７の各種キーと、その下部にマイクロフォン１５２とが配置されている。
【００３６】
［キーへの文字の割当］
キーへの文字の割当を図４および図５に関連付けて説明する。
図４は、本発明の第１実施形態に係る操作部のテンキーを示す外観平面図である。
図５は、本発明の第１実施形態に係るキーの割当の一例を示す図である。
【００３７】
図４には、操作部１７を構成するテンキー１７１が例示されている。テンキー１７１は、数字キー、「＊」キーおよび「♯」キーによって構成されている。なお、数字キーは、「０」〜「９」キーで構成されている。
携帯端末１０には、テンキー１７１を使用して文字入力を行う、所謂「かな方式（５タッチ方式）」が採用されている。このため、テンキー１７１を構成する各キーには、図５に図示するように、文字入力モードに応じて、各文字が割り当てられている。
【００３８】
詳細には、携帯端末１０での文字入力時には、「漢字ひらがなモード」、「カタカナモード」、「英字モード」および「数字モード」の内、いずれかが文字入力モードとして選択される。「１」キーに対しては、以下のように文字が割り当てられている。
【００３９】
「漢字ひらがなモード」では、「１」キーに、「あ」行の大文字と小文字とが割り当てられている。具体的には、「１」キーに、「あ」、「い」、「う」、「え」、「お」、「ぁ」、「ぃ」、「ぅ」、「ぇ」、「ぉ」が順に割り当てられている。
「カタカナモード」では、「１」キーに、「ア」行の大文字と小文字とが割り当てられている。具体体には、「１」キーに、「ア」、「イ」、「ウ」、「エ」、「オ」、「ァ」、「ィ」、「ゥ」、「ェ」、「ォ」が順に割り当てられている。
「英字モード」では、「１」キーに、「．」等の記号が順に割り当てられ、「数字モード」では、「１」キーに「１」が割り当てられている。
【００４０】
このように、「１」キー、「４」キー、「８」キーには、大文字と小文字とが割り当てられ、他のキーには、大文字のみが割り当てられている。
例えば、大文字の「お」を入力する場合には、「１」キーを５回押下し、文字確定キー（不図示）を押下することで、「お」の入力が確定される。小文字の「ォ」を入力する場合には、「１」キーを１０回押下することで、「ォ」の文字が確定される。
【００４１】
［サーバ装置２０の構成例］
サーバ装置２０の構成例を図６に関連付けて説明する。
図６は、本発明の第１実施形態に係るサーバ装置の主要部の構成例を示す概略ブロック図である。
【００４２】
図６に図示するサーバ装置２０は、サーバ通信部２０１、検出部２０２および文字変換部２０３を有する。
なお、サーバ通信部２０１は、本発明のサーバ装置の受信部に対応する。
【００４３】
サーバ通信部２０１は、通信網４０を介して携帯端末１０と通信を行う。
【００４４】
検出部２０２は、サーバ通信部２０１から大文字のみで構成された文字列が入力される。検出部２０２は、この文字列から変換可能文字を検出する。例えば、文字変換対象の文字列が、「あけましておめでとうございます」である場合、大文字と小文字とを有する、「あ」、「お」、「う」、「い」が変換可能文字として検出される。
【００４５】
文字変換部２０３は、検出部２０２が検出した変換可能文字に対して、大文字を小文字に文字変換する。例えば、「あ」が「ぁ」に、「お」が「ぉ」に、「う」が「ぅ」に、「い」が「ぃ」に文字変換される。
【００４６】
［文字変換システム１の動作例］
以下、文字変換システムの動作例を図７〜図１０に関連付けて説明する。
図７は、本発明の第１実施形態に係る文字変換システムの動作例を示すシーケンス図である。
図８〜図１０は、本発明の第１実施形態に係る表示部の表示画面の例を示す模式概念図である。
【００４７】
以下、「あけましておめでとうございます」という文字列を携帯端末１０を使用してサーバ装置２０上のアプリケーションに入力し、この文字列を「ぁけましてぉめでとぅござぃます」という混合文字列に文字変換する場合を例に挙げる。
【００４８】
図７に図示するように、ユーザは、操作部１７を操作して、文章を入力するためのアプリケーションを起動させる操作を行う（ステップＳＴ１１）。
制御部１３は、この操作を検知し（ステップＳＴ１２）、図８に図示する文字入力画面を表示部１６に表示させる（ステップＳＴ１３）。文字入力画面には、例えば、文字入力を促すカーソル１６１が表示される。
【００４９】
その後、ユーザは、操作部１７を操作して、「あけましておめでとうございます」という文字列を入力する（ステップＳＴ１４）。このとき、ユーザは、図５に図示するキーの割り当てに従って、一文字ずつ文字を大文字で入力する。
制御部１３は、この操作を検知し（ステップＳＴ１５）、ステップＳＴ１４の処理によって入力された文字列を表示部１６に表示させる（ステップＳＴ１６）。これにより、表示部１６には、図９に図示するように、「あけましておめでとうございます」という文字列が表示される。ただし、この時点では、入力された文字列は確定されていない。
その後、制御部１３は、ステップＳＴ１４の処理によって入力された文字列を記憶部１４に退避させる（ステップＳＴ１７）。
【００５０】
ユーザは、入力した文字列を確定するため、操作部１７の文字確定キーを押下する（ステップＳＴ１８）。
制御部１３は、文字確定キーが押下されたことを検知し（ステップＳＴ１９）、ステップＳＴ１７の処理で記憶部１４に格納した文字列を文字変換処理対象として確定する（ステップＳＴ１１０）。
【００５１】
その後、ユーザは、操作部１７を操作して、ステップＳＴ１１０にて確定した文字列をサーバ装置２０へ送信するための操作を行う（ステップＳＴ１１１）。
操作部１７は、この操作を検知し（ステップＳＴ１１２）、記憶部１４からステップＳＴ１７の処理にて格納した文字列を読み出す。そして、通信部１２は、制御部１３の制御に従って、制御部１３が記憶部１４から読み出した文字列を送信データとしてサーバ装置２０に送信する（ステップＳＴ１１３）。
【００５２】
サーバ装置２０のサーバ通信部２０１は、通信網４０を介して携帯端末１０から文字列を受信データとして受信する（ステップＳＴ１１４）。
そして、検出部２０２は、文字列から、変換可能文字を検出する（ステップＳＴ１１５）。文字変換処理対象の文字列は、「あけましておめでとうございます」であるので、「あ」、「お」、「う」、「い」が変換可能文字として検出される。
その後、文字変換部２０３は、検出部２０２が検出した変換可能文字に対して、大文字を小文字に文字変換する（ステップＳＴ１１６）。このとき、「あ」が「ぁ」に、「お」が「ぉ」に、「う」が「ぅ」に、「い」が「ぃ」に文字変換される。
文字変換の終了後、サーバ装置２０は、文字変換部２０３が文字変換した文字列をアプリケーションに反映させる（ステップＳＴ１１７）。
【００５３】
その後、携帯端末１０がサーバ装置２０にアクセスすると、通信部１２は、サーバ通信部２０１から文字変換処理後の文字列を含むデータを受信する。そして、表示部１６には、図１０に図示するように、「ぁけましてぉめでとぅござぃます」という混合文字列が表示される（ステップＳＴ１１８）。
【００５４】
以上、第１実施形態によれば、大文字を入力する際のキー操作で小文字をＷＥＢサイトなどに表示することができるため、キーの押下回数を削減することができ、容易な文字入力が可能となる。特に、「ぁけましてぉめでとぅござぃます」のような文章を作成する際には、１文字ずつ文字変換する必要がなく、顕著な効果を得ることができる。更に、小文字を入力するためのキーが必要なく、面倒なキー操作を覚える必要が無いという利益が得られる。
【００５５】
〈第２実施形態〉
第２実施形態について説明する。第２実施形態では、変換可能文字に対して、文字変換を実行するか否かを選択することができる。以下、文字変換システムについて、先の実施形態と異なる点を中心に説明する。
【００５６】
図１１は、本発明の第２実施形態に係る表示部の表示画面の例を示す模式概念図である。
図１２は、本発明の第２実施形態に係るサーバ装置の主要部の構成例を示す概略ブロック図である。
【００５７】
携帯端末１０の制御部１３は、操作部１７によって入力された変換可能文字に対して、文字変換を実行するか否かという選択肢を表示部１６に表示させる。このとき、表示部１６には、図１１に図示するように、「文字変換をする」、「文字変換をしない」という２つの選択肢１６２が選択可能に表示される。
【００５８】
ユーザが、操作部１７の操作により、「文字変換を実行する」という選択肢を選択した場合には、制御部１３は、文字変換を許可する許可信号を選択情報Ｓ１として通信部１２に送信させる。
そして、図１２に図示するように、サーバ通信部２０１が携帯端末１０から選択情報Ｓ１を受信すると、検出部２０２および文字変換部２０３には、サーバ通信部２０１を介して、許可信号Ｓ１Ａが入力される。
検出部２０２は、許可信号Ｓ１Ａに応答して、変換可能文字を検出する。その後、文字変換部２０３も、許可信号Ｓ１Ａに応答して、文字変換を行う。
【００５９】
一方、ユーザが、「文字変換をしない」という選択肢を選択した場合には、制御部１３は、文字変換を禁止する禁止信号を選択情報Ｓ１として通信部１２に送信させる。
そして、図１２に図示するように、サーバ通信部２０１が携帯端末１０から選択情報Ｓ１を受信すると、検出部２０２は、禁止信号Ｓ１Ｂに応答して、変換可能文字の検出を停止する。文字変換部２０３も、禁止信号Ｓ１Ｂに応答して、文字変換を停止する。
【００６０】
［文字変換システムの動作例］
以下、文字変換システムの動作例を図１３に関連付けて説明する。
図１３は、本発明の第２実施形態に係る文字変換システムの動作例を示すシーケンス図である。
【００６１】
図１３に図示するステップＳＴ２１〜ＳＴ２１２の処理は、図７に図示するステップＳＴ１１〜ＳＴ１１２の処理に各々対応する。第２実施形態では、ステップＳＴ２１３以降の処理が第１実施形態のものと異なる。以下、ステップＳＴ２１３以降の処理について説明する。
【００６２】
ユーザが、操作部１７を操作して、ステップＳＴ２１０にて確定した文字列をサーバ装置２０へ送信するための操作を行い（ステップＳＴ２１１）、操作部１７が、この操作を検知した後（ステップＳＴ２１２）、制御部１３は、文字変換を実行するか否かという選択肢を表示部１６に表示させる（ステップＳＴ２１３）。
このとき、表示部１６には、「文字変換をする」、「文字変換をしない」という２つの選択肢１６２が選択可能に表示される。
【００６３】
ユーザは、操作部１７を操作して、２つの選択肢の内、いずれか一方を選択する（ステップＳＴ２１４）。
制御部１３は、この操作を検知し（ステップＳＴ２１５）、ステップＳＴ２１０の処理にて確定した文字列と、ステップＳＴ２１５の処理で検知した選択結果とがサーバ装置２０に送信される（ステップＳＴ２１６）。
【００６４】
詳細には、制御部１３は、記憶部１４からステップＳＴ２７の処理にて格納した文字列を読み出す。そして、通信部１２は、制御部１３の制御に従って、制御部１３が記憶部１４から読み出した文字列を送信データとしてサーバ装置２０に送信する。
【００６５】
このとき、制御部１３は、ステップＳＴ２１５の処理で検知した選択結果が「文字変換を実行する」という選択であった場合には、文字変換を許可する許可信号Ｓ１Ａを選択情報Ｓ１として通信部１２に送信させる。
一方、制御部１３は、ステップＳＴ２１５の処理で検知した選択結果が「文字変換をしない」という選択であった場合には、文字変換を禁止する禁止信号Ｓ１Ｂを選択情報Ｓ１として通信部１２に送信させる。
【００６６】
サーバ装置２０のサーバ通信部２０１は、通信網４０を介して携帯端末１０から文字列と選択情報Ｓ１とを受信データとして受信する（ステップＳＴ２１７）。
選択情報Ｓ１が許可信号Ｓ１Ａであった場合には（ステップＳＴ２１８のＹＥＳ）、検出部２０２は、許可信号Ｓ１Ａに応答し、文字列から、変換可能文字を検出する（ステップＳＴ２１９）。その後、文字変換部２０３も、許可信号Ｓ１Ａに応答し、検出部２０２が検出した変換可能文字に対して、大文字を小文字に文字変換する（ステップＳＴ２２０）。
文字変換の終了後、サーバ装置２０は、文字変換部２０３が文字変換した文字列をアプリケーションに反映させる（ステップＳＴ２２１）。
【００６７】
一方、選択情報Ｓ１が禁止信号Ｓ１Ｂであった場合には（ステップＳＴ２１８のＮＯ）、検出部２０２および文字変換部２０３は、禁止信号Ｓ１Ｂに応答して、各々の処理を停止する。
その後、サーバ装置２０は、ステップＳＴ２１７の処理で受信した文字列をそのままアプリケーションに反映させる（ステップＳＴ２２１）。
この場合に、携帯端末１０がサーバ装置２０にアクセスすると、表示部１６には、図９に図示するように、「あけましておめでとうございます」という文字変換処理が施されていない文字列が表示される（ステップＳＴ２２２）。
【００６８】
以上、第２実施形態によれば、文字変換を実行するか否かを選択することができ、不用意な文字変換を防止することができる。この他、第１実施形態と同様の効果を得ることもできる。
【００６９】
〈第３実施形態〉
第３実施形態について説明する。第３実施形態では、入力された文字列の内、所望する文字変換の範囲を指定し、この指定した範囲の変換可能文字に対して、文字変換を実行することができる。以下、文字変換システムについて、上述した第２実施形態と異なる点を中心に説明する。
【００７０】
図１４および図１５は、本発明の第３実施形態に係る表示部の表示画面の例を示す模式概念図である。
携帯端末１０の制御部１３は、操作部１７によって入力された変換可能文字に対して、文字変換を実行する範囲を指定するための括弧を表示部１６に表示させる。このとき、表示部１６には、図１４に図示するように、一組の括弧１６３が表示される。なお、この括弧１６３は、文字変換の範囲を指定することが可能であれば、括弧１６３の替わりに、文字色や文字の背景色を変化させることもできる。
【００７１】
そして、ユーザは、操作部１７の方向キー等を使用して、括弧１６３の位置を調整し、所望する文字変換の範囲を指定する。図１４には、表示されている文字列の内、「あけましておめでとうございます。」という文字列が文字変換の範囲に指定されている。なお、２組以上の括弧１６３を表示部１６に表示させ、複数の文字変換の範囲を指定することもできる。
【００７２】
サーバ装置２０の検出部２０２は、この括弧１６３の有無を検出する。検出部２０２は、括弧１６３を検出した場合には、対応する括弧内の文字列に対してのみ変換可能文字を検出する。その後、文字変換部２０３は、検出部２０２が検出した括弧内の変換可能文字に対して文字変換を行う。
その後、携帯端末１０がサーバ装置２０にアクセスすると、表示部１６には、図１５に図示するように、文字変換の範囲に指定された文字列のみが、「ぁけましてぉめでとぅござぃます」に変換されて表示される。
【００７３】
一方、検出部２０２は、括弧１６３を検出しなかった場合には、全ての文字列に対して変換可能文字を検出する。その後、文字変換部２０３は、検出部２０２が検出した変換可能文字に対して文字変換を行う。
【００７４】
［文字変換システムの動作例］
以下、文字変換システムの動作例を図１６に関連付けて説明する。
図１６は、本発明の第３実施形態に係る文字変換システムの動作例を示すシーケンス図である。
【００７５】
図１６に図示するステップＳＴ３１〜ＳＴ３１８の処理は、図１３に図示するステップＳＴ２１〜ＳＴ２１８の処理に各々対応する。なお、上述した括弧１６３は、ステップＳＴ３４において入力される。第３実施形態では、ステップＳＴ３１８以降の処理が第２実施形態のものと異なる。以下、ステップＳＴ３１８以降の処理について説明する。
【００７６】
ステップＳＴ３１８にて、選択情報Ｓ１が許可信号Ｓ１Ａであった場合（ＹＥＳ）について説明する。
検出部２０２は、許可信号Ｓ１Ａに応答して、括弧１６３の有無を検出する（ステップＳＴ３１９）。そして、検出部２０２は、括弧１６３を検出した場合には（ステップＳＴ３２０のＹＥＳ）、対応する括弧内の文字列に対してのみ変換可能文字を検出する（ステップＳＴ３２１）。その後、文字変換部２０３は、検出部２０２が検出した括弧内の変換可能文字に対して文字変換を行う（ステップＳＴ３２２）。
【００７７】
一方、検出部２０２は、括弧１６３を検出しなかった場合には（ステップＳＴ３２０のＮＯ）、全ての文字列に対して変換可能文字を検出する（ステップＳＴ３２３）。その後、文字変換部２０３は、検出部２０２が検出した変換可能文字に対して文字変換を行う（ステップＳＴ３２４）。
【００７８】
文字変換の終了後、サーバ装置２０は、文字変換部２０３が文字変換した文字列をアプリケーションに反映させる（ステップＳＴ３２５）。検出部２０２が、括弧１６３を検出した場合には、表示部１６には、図１５に図示するように、文字変換の範囲に指定された文字列のみが「ぁけましてぉめでとぅござぃます」のような混合文字列に文字変換される（ステップＳＴ３２６）。
【００７９】
一方、ステップＳＴ３１８にて、選択情報Ｓ１が禁止信号Ｓ１Ｂであった場合（ＮＯ）には、検出部２０２および文字変換部２０３は、禁止信号Ｓ１Ｂに応答して、各処理を停止する。その後、サーバ装置２０は、ステップＳＴ３１７の処理で受信した文字列をそのままアプリケーションに反映させる（ステップＳＴ３２７）。
【００８０】
第３実施形態によれば、入力文字列の内、所望する範囲の文字列のみ文字変換を行うことができるという利点がある。この結果、検出部２０２と文字変換部２０３の処理速度を向上させることができる。この他、第１および第２実施形態と同様の効果を得ることもできる。
【００８１】
〈第４実施形態〉
第４実施形態について説明する。第４実施形態では、携帯端末１０に登録されているユーザの個人情報に基づいて、入力された変換可能文字が自動的に文字変換される。より詳細には、個人情報に登録されている年齢が、所定の年齢（例えば１８歳）以下の場合には、変換可能文字を自動的に文字変換することができる。なお、所定の年齢以下の場合に文字変換を行う理由は、若年ほど混合文字の使用頻度が高いためである。
以下、文字変換システム１ｃについて、先の実施形態と異なる点を中心に説明する。
【００８２】
図１７は、本発明の第４実施形態に係る携帯端末１０の主要部の構成例を示す概略ブロック図である。
図１７に図示する携帯端末１０ａは、制御部１３が判別部１３１を有する。記憶部１４には、個人情報１４１が格納されている。個人情報１４１は、例えば、ユーザの年齢、電話番号、住所等の情報で構成されている。
【００８３】
判別部１３１は、記憶部１４に格納されている個人情報１４１を読み出す。そして、判別部１３１は、この個人情報１４１に登録されている年齢が規定値以下であるか否かを判別する。この規定値は、例えば１８歳であって、好適に設定することができる。
年齢が規定値以下であった場合には、判別部１３１は、文字変換を許可する許可信号Ｓ１Ａを選択情報Ｓ１として通信部１２に送信させる。
一方、年齢が規定値以下であった場合には、判別部１３１は、文字変換を禁止する禁止信号Ｓ１Ｂを選択情報Ｓ１として通信部１２に送信させる。
【００８４】
そして、選択情報Ｓ１が許可信号Ｓ１Ａであった場合には、検出部２０２は、許可信号Ｓ１Ａに応答して変換可能文字を検出する。その後、文字変換部２０３は、許可信号Ｓ１Ａに応答し、検出部２０２が検出した変換可能文字に対して、大文字を小文字に文字変換する。
【００８５】
第４実施形態によれば、ユーザの年齢に応じて、文字変換を自動的に行うことができる。この結果、ユーザに適した文字変換を実現することができる。更に、第１〜第３実施形態と同様の効果を得ることもできる。
【００８６】
本発明は、その要旨を逸脱しない範囲内において、好適に改変することができる。例えば、「Ａ」のような特定の大文字の英字（アルファベット）を「ａ」のような小文字の英字に変換することができる。例えば、「おめでとう」という文字列の語尾に「ございます」のような文字列を加えることにより、「おめでとう」という文字列を「おめでとうございます」という文字列に変換することもできる。各々の実施形態を好適に組み合わせることもできる。
【００８７】
携帯端末の制御部が有する機能およびサーバ装置が有する機能は、ソフトウェア的に処理されるが、その一部あるいは全てをハードウェア的に処理することもできる。
本発明の文字変換システムにおける携帯端末は、携帯電話機やＰＨＳのように、複数の文字が割り当てられたキーを複数有する種々の電子機器に適用することができる。
【図面の簡単な説明】
【００８８】
【図１】図１は、本発明の第１実施形態に係る文字変換システムの構成例を示す概略構成図である。
【図２】図２は、本発明の第１実施形態に係る携帯端末の主要部の構成例を示す概略ブロック図である。
【図３】図３は、本発明の第１実施形態に係る携帯端末の外観の一例を示す斜視図である。
【図４】図４は、本発明の第１実施形態に係る操作部の一部を示す外観平面図である。
【図５】図５は、本発明の第１実施形態に係るキーの割当の一例を示す図である。
【図６】図６は、本発明の第１実施形態に係るサーバ装置の主要部の構成例を示す概略ブロック図である。
【図７】図７は、本発明の第１実施形態に係る文字変換システムの動作例を示すシーケンス図である。
【図８】図８は、本発明の第１実施形態に係る表示部の表示画面の例を示す模式概念図である。
【図９】図９は、本発明の第１実施形態に係る表示部の表示画面の例を示す模式概念図である。
【図１０】図１０は、本発明の第１実施形態に係る表示部の表示画面の例を示す模式概念図である。
【図１１】図１１は、本発明の第２実施形態に係る表示部の表示画面の例を示す模式概念図である。
【図１２】図１２は、本発明の第２実施形態に係るサーバ装置の主要部の構成例を示す概略ブロック図である。
【図１３】図１３は、本発明の第２実施形態に係る文字変換システムの動作例を示すシーケンス図である。
【図１４】図１４は、本発明の第３実施形態に係る表示部の表示画面の例を示す模式概念図である。
【図１５】図１５は、本発明の第３実施形態に係る表示部の表示画面の例を示す模式概念図である。
【図１６】図１６は、本発明の第３実施形態に係る文字変換システムの動作例を示すシーケンス図である。
【図１７】図１７は、本発明の第４実施形態に係る携帯端末１０の主要部の構成例を示す概略ブロック図である。
【符号の説明】
【００８９】
１…文字変換システム、１０…携帯端末、１１…アンテナ、１２…通信部、１３…制御部、１４…記憶部、１５…音声入出力部、１６…表示部、１７…操作部、１９…マイクロフォン、１０１…第１筐体、１０２…第２筐体、１０３…ヒンジ部、１３１…判別部、１４１…個人情報、１５１…スピーカ、１５２…マイクロフォン、１６１…カーソル、１６２…選択肢、１６３…括弧、１７１…テンキー、２０…サーバ装置、２０１…サーバ通信部、２０２…検出部、２０３…文字変換部、３０…基地局、４０…通信網
【図１】
2010128671.tif 000003
【図２】
2010128671.tif 000004
【図３】
2010128671.tif 000005
【図４】
2010128671.tif 000006
【図５】
2010128671.tif 000007
【図６】
2010128671.tif 000008
【図７】
2010128671.tif 000009
【図８】
2010128671.tif 000010
【図９】
2010128671.tif 000011
【図１０】
2010128671.tif 000012
【図１１】
2010128671.tif 000013
【図１２】
2010128671.tif 000014
【図１３】
2010128671.tif 000015
【図１４】
2010128671.tif 000016
【図１５】
2010128671.tif 000017
【図１６】
2010128671.tif 000018
【図１７】
2010128671.tif 000019